(57)【特許請求の範囲】
【請求項１】
傾斜する板面の一側を高い揺上側（１５ｃ）とし他側を低い揺下側（１５ｂ）とし、斜め上下に往復揺動する揺動選別板（１５）には無数の凹部（Ａ）を形成し、凹部（Ａ）には揺動方向である縦方向に長く、横方向に短い凹みとした底面部（１ａ）を形成し、底面部（１ａ）の揺下側（１５ｄ）には揺寄せ面（２ａ）を形成し、底面部（１ａ）の揺上側（１５ｃ）には穀粒を縦方向に案内する緩い案内傾斜面（３ａ）を形成し、前記底面部（１ａ）の横方向両端部には底面部（１ａ）に嵌まり込んだ穀粒の逃げ防止用の急傾斜面（４ａ）を形成するものであって、前記揺寄せ面（２ａ）の傾斜角度を形成するにあたり、横方向中央部を緩い傾斜の緩傾斜揺寄せ面（２ｃ）とし、緩傾斜揺寄せ面（２ｃ）の横方向両端部分を急傾斜の急傾斜揺寄せ面（２ｄ）としたことを特徴とする揺動選別装置。
【発明の詳細な説明】
【０００１】
【発明の属する技術分野】
この発明は、揺動選別板における選別凹部の改良に関するものである。
【０００２】
【従来の技術】
従来の揺動選別板には、図４に示すような凹部Ｙが無数に形成されていた。即ち、凹部Ｙは、揺動方向である縦方向に長く、横方向には短い凹み形状の底面部１０１ａを構成し、底面部１０１ａの揺下側には急傾斜の揺寄せ面１０２ａを形成し、底面部１０１ａの揺上側には穀粒を縦方向に案内する緩い案内傾斜面１０３ａを形成し、底面部１０１ａの横方向両端部には底面部１０１ａに嵌まり込んだ穀粒の逃げ防止用の急傾斜面１０４ａを形成し、この凹部Ｙには縦方向に沿った大粒の籾が１粒嵌まり込み、２粒は嵌まり込めない大きさとし、この凹部Ｙには斜め縦方向の二粒の玄米が嵌まり込む大きさとし、前記揺寄せ面１０２ａを横方向全面にわたって急傾斜の揺寄せ面に構成していた。
【０００３】
【発明が解決しようとする課題】
従来装置では、凹部Ｙに嵌まり込んだ籾及び玄米に対して、急傾斜の揺寄せ面１０２ａで揺上側に揺寄せるので、揺下側に偏流分布する籾に対しても玄米と同様に揺上側に強く揺寄せ作用が働き、籾の揺下側への偏流分布を阻害し、選別能率が低下するという欠点があった。
【０００４】
そこで、この発明は、凹部Ｙの揺寄せ面を特殊に構成して、小粒の玄米に対しては揺上側への揺上げ力が強く作用するようにし、大粒の籾に対しては揺上側への揺上げ力が弱く作用するようにして、選別性能の向上を図ろうとするものである。
【０００５】
【課題を解決するための手段】
この発明は、このような問題点を解決するために、次の技術的手段を講じた。即ち、傾斜する板面の一側を高い揺上側（１５ｃ）とし他側を低い揺下側（１５ｂ）とし、斜め上下に往復揺動する揺動選別板（１５）には無数の凹部（Ａ）を形成し、凹部（Ａ）には揺動方向である縦方向に長く、横方向に短い凹みとした底面部（１ａ）を形成し、底面部（１ａ）の揺下側（１５ｄ）には揺寄せ面（２ａ）を形成し、底面部（１ａ）の揺上側（１５ｃ）には穀粒を縦方向に案内する緩い案内傾斜面（３ａ）を形成し、前記底面部（１ａ）の横方向両端部には底面部（１ａ）に嵌まり込んだ穀粒の逃げ防止用の急傾斜面（４ａ）を形成するものであって、前記揺寄せ面（２ａ）の傾斜角度を形成するにあたり、横方向中央部を緩い傾斜の緩傾斜揺寄せ面（２ｃ）とし、緩傾斜揺寄せ面（２ｃ）の横方向両端部分を急傾斜の急傾斜揺寄せ面（２ｄ）としたことを特徴とする。
【０００６】
【発明の作用及び効果】
穀粒混合米の揺動選別中には、揺動選別板１５は、斜め上下に往復揺動しながら穀粒を選別する。凹部Ａの底面部１ａにはその長手方向に沿って大粒の籾が嵌まり込む傾向があり、籾の長手方向端部が揺寄せ面２ａの横方向中間部の緩傾斜揺寄せ面２ｃに衝突して揺寄せ作用を受けるが、緩傾斜のため揺上側１５ｃへの揺寄せ力が弱められ、籾は板面の縦方向の傾斜面に沿って低位の揺下側１５ｄへ流下し、揺下側１５ｄへの偏流分布が促進される。
【０００７】
また、凹部Ａの底面部１ａには小粒の二粒の玄米が斜め縦方向に嵌まり込む傾向があり、揺寄せ面２ａにおける横方向両端部分の急傾斜揺寄せ面２ａ２に玄米の長手方向端部が衝突し揺上側１５ｃに強く揺寄せられて、揺上側１５ｃへの偏流分布が促進される。
【０００８】
従って、小粒の玄米の揺上側１５ｃへの偏流分布が促進されるとともに、大粒の籾の揺下側１５ｄへの偏流分布が促進されて、玄米の分布幅が拡がり選別能率を向上させることができる。
【０００９】
【発明の実施の形態】
以下、図面に示すこの発明の実施例の形態について説明する。まず、図１に基づき、籾摺選別機の全体構成について説明する。籾摺選別機は、籾摺部Ｍ、籾摺部Ｍからの摺落米を風選する摺落米風選部Ｈ、摺落米風選部Ｈでの風選後の混合米を籾・玄米に分離選別する揺動選別部Ｊ、穀粒を揚穀する混合米揚穀機Ｇ及び玄米揚穀機Ｒ等により構成されている。
【００１０】
籾摺部Ｍは、籾ホッパ８ａ、籾摺ロ−ル８ｂ、の内装されている籾摺室８等により構成されている。摺落米風選部Ｈは、摺落米風選箱９，摺落米風選路１０，粃受樋１１，摺落米受樋１２，吸引フアン１３，排塵筒１４等により構成されている。
【００１１】
次に、揺動選別部Ｊについて説明する。本実施例の多段の揺動選別板１５には、板面に選別用の凹部Ａが略千鳥足状に多数形成され（図２ではその一部のみ記載）ていて、横方向の一側を供給側１５ａ、他側を排出側１５ｂとし、横方向に直交する縦方向の一方側を高い揺上側１５ｃ、他側を低い揺下側１５ｄとして、揺動選別板１５は揺動アーム１５ｈ、揺動リンク（図示せず）から構成されている揺動装置により、横方向斜め上下に往復揺動される構成である。また、この揺動選別板１５は図示しないが縦方向の傾斜角度を調節することが可能に構成されている。
【００１２】
この揺動選別板１５の供給側には供給口が構成されていて、摺落米受樋１２の混合米が混合米揚穀機Ｇ、混合米ホッパ２４、分配供給樋１６及び分配ケース１７を経由して、供給口から揺動選別板１５に供給される構成である。揺動選別板１５に供給された混合米は、粒形の大小、比重の大小、摩擦係数の大小等の関係で、比重の重い小形の玄米は揺上側に偏流分布し、また、玄米に比較して大形で比重の軽い籾は、揺下側に偏流分布し、また、その中間部には分離されない籾・玄米の混合米が分布しながら選別される。しかして、これらの選別穀粒は、揺動選別板１５の排出側に設けられている玄米仕切板１８及び籾仕切板１９で仕切られて取り出される。
【００１３】
揺動選別板１５から取り出された玄米は、玄米取出樋２０，玄米流路２１，玄米揚穀機Ｒを経て機外に取り出され、また、混合米は混合米取出樋２２、混合米流路２３、摺落米受樋１２、混合米揚穀機Ｇ、混合米ホッパ２４、分配供給樋１６、分配ケース１７を経て、揺動選別板１５に再度供給されて再選別される。また、取り出された籾は、籾取出樋２５，籾流路２６，籾揚穀機２７を経て籾摺部１に揚穀還元されて、再度の籾摺がなされる構成である。
【００１４】
次に、図２〜図４に基づき揺動選別板１５の凹部の実施例について説明する。この実施例は、混合米を籾・玄米に分離選別する揺動選別板において、選別分離性能を向上させるために、小粒の玄米に対しては揺上側１５ｃへの揺上げ力が強く作用し、大粒の籾に対しては揺上側１５ｃへの揺上げ力が弱く作用するような凹部Ａを提供しようとするものである。
【００１５】
この実施例の凹部Ａは、図３に示すように、揺動方向である縦方向に例えば１０ミリメートルと長く、横方向に例えば３．３ミリメートルの短い凹みとして底面部１ａを形成し、この実施例では底面部１ａの横方向の長さを揺下側１５ｄが長く揺上側１５ｃがやや短くなるように構成している（なお、図７のように揺上側１５ｃ及び揺下側１５ｄを略同じ長さに構成してもよい。）。凹部Ａの底面部１ａの揺下側１５ｄ端部には急傾斜の揺寄せ面２ａを形成し、この揺寄せ面２ａの高さを籾の高さの１／２よりも高く構成し、底面部１ａ揺上側１５ｃ端部には穀粒を縦方向に案内する緩い案内傾斜面３ａを形成している。
【００１６】
また、底面部１ａの横方向両端部には凹部Ａに嵌まり込んだ穀粒の逃げ防止用の比較的急傾斜の急傾斜面４ａを形成している。そして、前記揺寄せ面２ａの傾斜角度を形成するにあたり、横方向の中央部を緩い傾斜の緩傾斜揺寄せ面２ｃとし、横方向両端部分を急傾斜の急傾斜揺寄せ面２ｄに形成している。
【００１７】
なお、この凹部Ａは縦方向に沿った大粒の籾１粒が嵌まり込めるが、２粒は嵌まり込めない大きさであると共に、斜め縦方向の小粒の並列二粒の玄米が嵌まり込む大きさに形成している。また、凹部Ａの底面部１ａの揺上側１５ｃが排出側１５ｂに向かうように斜め縦方向に沿わせて形成してもよい。
【００１８】
しかして、揺動選別中には、縦方向一側の揺上側１５ｃを高く、他側の揺下側１５ｄを低くして、縦方向斜め上下に往復揺動しながら混合米を選別する。凹部Ａの底面部１ａに長手方向に沿って大粒の籾が嵌まり込む傾向があるところ、籾の長手方向端部が揺寄せ面２ａの緩傾斜揺寄せ面２ｃに衝突して揺寄せ作用を受けるが、緩傾斜のため揺上側１５ｃへの揺寄せ力が弱められ、籾は板面の縦方向の傾斜面に沿って低位の揺下側１５ｄへ流下しがちとなり、揺下側１５ｄへの偏流分布が促進される。
【００１９】
また、凹部Ａの底面部１ａには小粒の二粒の玄米が斜め縦方向に嵌まり込む傾向があるところ、揺寄せ面２ａにおける横方向両端部分の急傾斜揺寄せ面２ｄに、玄米の長手方向端部が衝突して揺上側１５ｃに強く揺寄せられ、玄米の揺上側１５ｃへの偏流分布が促進される。従って、玄米の揺上側１５ｃへの偏流分布を速めると共に、籾の揺下側１５ｄへの偏流分布を速めて、玄米の分布幅が拡がり選別能率を向上させる。
【００２０】
また、従来は穀粒の選別の選別作業中に籾を揺下側に偏流分布を促進させるために揺動選別板１５の縦方向の傾斜角度を急傾斜角度に設定する必要があったが、籾の揺下側１５ｄへの偏流分布を速めることができる分、揺動選別板１５の縦方向の傾斜角度を緩やかな傾斜角度に設定することが可能になる。そのため、一般的に揺動選別板１５の縦方向の傾斜角度を緩やかな傾斜角度に設定することが穀粒の水分や屑米の割合が異なる等の様々な条件の穀粒を選別する際に望ましいことを鑑みても、本実施例による効果は大きい。
【００２１】
次に、図５に基づき凹部Ａの他の実施例について説明する。この凹部Ａは図５に示すように、底面部１ａ、揺寄せ面２ａ、緩傾斜揺寄せ面２ｃ、急傾斜揺寄せ面２ｄ、案内傾斜面３ａ、急傾斜面４ａにより形成されていて、その底面部１ａにおける縦方向及び横方向の中間部位に凸部５ａを形成している。
【００２２】
本実施例にあっては、斜め縦方向に並列している２粒の玄米が底面部１ａ内に嵌まり込むにあたり、凸部５ａが玄米粒の隣接部に位置して、２粒の玄米を斜め縦方向に沿わせて底に沈下させる傾向となり、玄米の揺下側１５ｄ端部が揺寄せ面２ａの供給側１５ａあるいは排出側１５ｂ端部の急傾斜揺寄せ面２ｃに衝突して揺上げられる確率が高まり、玄米の揺上側１５ｃへの揺寄せを強くし揺上側１５ｃへの移動を促進させることができる。
【００２３】
また、縦方向の籾が底面部１ａに嵌まり込む際には、籾が揺上側１５ｃの案内傾斜面３ａを通って底面部１ａに流動してくるところ、籾の長手方向中間部が凸部５ａにより持ち上げられて、籾の揺下側１５ｄ端部が浮き上がり、緩傾斜揺寄せ面２ａ２による揺寄せ作用が回避あるいは減少しがちとなり、籾の揺下側１５ｄへの流下が促進され、籾の分離性能を向上させることができる。
【００２４】
従って、玄米の揺上側１５ｃへの偏流分離を促進すると共に、籾の揺上側１５ｃへの偏流分離を促進して、選別能率を向上させることができる。次に、図６に基づき凹部Ａの他の実施例について説明する。この凹部Ａは、底面部１ａ、揺寄せ面２ａ、緩傾斜揺寄せ面２ｃ、急傾斜揺寄せ面２ｄ、案内傾斜面３ａ，急傾斜面４ａにより形成されていて、底面部１ａの揺下側１５ｄに揺寄せ面２ａを構成するにあたり、揺寄せ面２ａの上端部と板面１５ｅとの間に形成する屈曲部を、横方向の中間部を緩やかな緩屈曲傾斜面６ａとし、横方向両端部分を鋭利な急傾斜の急屈曲傾斜面７ａに形成する。
【００２５】
しかして、凹部Ａの底面部１ａに縦方向に沿って嵌まり込んだ大粒の籾は、その揺下側１５ｄ端部が緩屈曲傾斜面６ａに衝突して揺上げ力が弱まって揺下側１５ｄへの流動が円滑化して、揺下側１５ｄへの偏流分布が促進される。また、凹部Ａの底面部１ａに嵌まり込んだ斜め縦方向を向いている２粒の玄米は、その揺下側１５ｄ端部が揺寄せ面２ａの急屈曲傾斜面７ａにより揺下側１５ｄへの逃げが防止されて、揺上側１５ｃへの揺寄せ力が強くなり、玄米の揺上側１５ｃへの移動が迅速化し選別能率を高めることができる。
【図面の簡単な説明】
【図１】  籾摺選別機の全体の切断側面図。
【図２】  揺動選別板の平面図、凹部の拡大平面図、切断正面部、切断側面図。
【図３】  凹部の平面図、切断側面図。
【図４】  従来装置の凹部を示す平面図、切断側面図。
【図５】  別実施例の凹部の平面図、切断側面図。
【図６】  別実施例の凹部の平面図、切断側面図。
【図７】  別実施例の凹部の平面図、配置図
【符号の説明】
Ａ…凹部
Ｍ…籾摺部
Ｈ…摺落米風選部
Ｊ…揺動選別部
Ｇ…混合米揚穀機
Ｒ…玄米揚穀機
８ａ…籾ホッパ
８ｂ…籾摺ロール
８…籾摺室
９…摺落米風選箱
１０…摺落米風選路
１１…粃受樋
１２…摺落米受樋
１３…吸引フアン
１４…排塵筒
１５…揺動選別板
１５ａ…供給側
１５ｂ…排出側
１５ｃ…揺上側
１５ｄ…揺下側
１６…分配供給樋
１７…分配ケース
１８…玄米仕切板
１９…籾仕切板
２０…玄米取出樋
２１…玄米流路
２２…混合米取出樋
２３…混合米流路
２４…混合米ホッパ
２５…籾取出樋
２６…籾流路
２７…籾揚穀機
１ａ…底面部
２ａ…揺寄せ面
２ｃ…緩傾斜揺寄せ面
２ｄ…急傾斜揺寄せ面
３ａ…案内傾斜面
４ａ…急傾斜面
５ａ…凸部
６ａ…緩屈曲傾斜面
７ａ…急屈曲傾斜面
【図１】
0004126839.tif 000002
【図２】
0004126839.tif 000003
【図３】
0004126839.tif 000004
【図４】
0004126839.tif 000005
【図５】
0004126839.tif 000006
【図６】
0004126839.tif 000007
【図７】
0004126839.tif 000008